(57)【特許請求の範囲】
【請求項１】
床版を支持する主桁に取り付けられる基部材と、
基部材に対して移動可能に取り付けられると共に床版に対して接触する可動部材を有し、
前記可動部材は、上下方向に延びると共に横方向に間隔を置いて配置された複数の長孔を有し、
前記長孔を介して前記可動部材を前記基部材に固定する
床版の補強構造。
【請求項２】
前記可動部材は補剛材を有し、
前記基部材に対する前記補剛材の移動を許容するガイドを有する、
請求項１に記載の床版の補強構造。
【請求項３】
前記ガイドは前記基部材を切り欠いて形成され、
前記ガイドの切欠きに前記補剛材が挿入される
請求項２に記載の床版の補強構造。
【請求項４】
前記ガイドは前記補剛材を切り欠いて形成され、
前記ガイドの切欠きに前記基部材が挿入される
請求項２又は３に記載の床版の補強構造。
【請求項５】
基部材と、基部材に対して上下方向に移動可能に取り付けられるように上下方向に延びると共に横方向に間隔を置いて配置された複数の長孔が形成された可動部材を有する補強部材を用意し、
床版を支持する主桁に基部材を取り付け、
基部材に対して可動部材を移動させ床版に可動部材を接触させる
床版の補強方法。
【発明の詳細な説明】
【技術分野】
【０００１】
本発明は、橋梁に使用される、例えば、ＲＣ床版、ＰＣ床版、合成床版、または鋼床版の床版の補強構造および補強方法に関する。
【背景技術】
【０００２】
関連の床版の補強構造は、コンクリート床版の下面に設けられた主桁の両端に連結した横桁と、コンクリート床版と横桁との間に設けられた複数の支持部とを備えている。この補強構造によれば、狭い場所における運搬時や設置時においても効率よく作業を行うことができる。
【先行技術文献】
【特許文献】
【０００３】
【特許文献１】特開２００１−３３６１１６号公報
【発明の概要】
【発明が解決しようとする課題】
【０００４】
しかしながら、床版を主桁に設置した状態で、横桁および支持部を床版の下から取り付ける必要があるので、施工性が低い。
【０００５】
そこで、本発明の目的は、施工性を向上させた床版の補強構造および補強方法を提供することにある。
【課題を解決するための手段】
【０００６】
以下、符号を付して本発明の特徴を説明する。なお、符号は参照のためであり、本発明を実施形態に限定するものでない。
【０００７】
本発明の第１の特徴に係わる床版の補強構造（５０、５０Ａ、５０Ｂ）は、床版（３０Ａ、３０Ｂ）を支持する主桁（２０）に取り付けられる基部材（５１、５１Ａ、５１Ｂ）と、基部材（５１、５１Ａ、５１Ｂ）に対して移動可能に取り付けられると共に床版（３０Ａ、３０Ｂ）に対して接触する可動部材（５２、５２Ａ、５２Ｂ）を有し、前記可動部材（５２、５２Ａ、５２Ｂ）は、上下方向に延びると共に横方向に間隔を置いて配置された複数の長孔を有し、前記長孔を介して前記可動部材（５２、５２Ａ、５２Ｂ）を前記基部材（５１、５１Ａ、５１Ｂ）に固定する。
【０００８】
以上の第１の特徴において、可動部材（５２Ａ、５２Ｂ）は補剛材（５２ｇ、５２ｈ）を有し、基部材（５１Ａ、５１Ｂ）に対する補剛材（５２ｇ、５２ｈ）の移動を許容するガイド（５１ｆ、５２ｊ）を有する。
【０００９】
ガイド（５１ｆ）は基部材（５１Ｂ）を切り欠いて形成され、ガイド（５１ｆ）の切欠きに補剛材（５２ｇ）が挿入される。
【００１０】
ガイド（５２ｊ）は補剛材（５２ｈ）を切り欠いて形成され、ガイド（５２ｊ）の切欠きに基部材（５１ｈ）が挿入される。
【００１１】
本発明の第２の特徴に係わる床版の補強方法は、基部材（５１、５１Ａ、５１Ｂ）と、基部材（５１、５１Ａ、５１Ｂ）に対して上下方向に移動可能に取り付けられるように上下方向に延びると共に横方向に間隔を置いて配置された複数の長孔が形成された可動部材（５２、５２Ａ、５２Ｂ）を有する補強構造（５０、５０Ａ、５０Ｂ）を用意し、床版（３０Ａ、３０Ｂ）を支持する主桁（２０）に基部材（５１、５１Ａ、５１Ｂ）を取り付け、基部材（５１、５１Ａ、５１Ｂ）に対して可動部材（５２、５２Ａ、５２Ｂ）を移動させ床版（３０Ａ、３０Ｂ）に可動部材（５２、５２Ａ、５２Ｂ）を接触させる。
【発明の効果】
【００１２】
本発明の特徴によれば、基部材に対して可動部材を移動させて、床版に可動部材を当てることにより、床版と補強部材との隙間を無くし、補強構造によって床版に作用する荷重を支持する。これにより、施工性が向上する。
【図面の簡単な説明】
【００１３】
【図１】実施形態に係わる合成桁の斜視図である。
【図２】図１に示す合成桁の分解斜視図である。
【図３】図１に示す合成桁の立面図である。
【図４】図３に示す合成桁の立面図であり、動作前の補強部材を示す。
【図５】第２の実施形態に係わる補強部材の一部斜視図である。
【図６】第３の実施形態に係わる補強部材の一部斜視図である。
【発明を実施するための形態】
【００１４】
以下、図面を参照して実施の形態を詳細に説明する。
【００１５】
第１の実施形態
図１に示すように、例えば、鉄道橋は、橋脚（図示省略）に支持されると共にレール（図示省略）が設置された合成桁１０を有する。合成桁１０は、鋼製の主桁２０と、主桁２０の上に配置されたプレキャスト（ＰＣ）コンクリート床版３０Ａ、３０Ｂ（以下、床版と称する）を有する。床版３０Ａ、３０Ｂ同士の間隙は、モルタルが充填された目地部１１を有する。主桁２０と床版３０Ａ、３０Ｂとはずれ止め１３で固定されている。
【００１６】
図２に示すように、主桁２０は、縦方向に延びる縦桁（ウェブ）２１Ａ、２１Ｂと、縦桁２１Ａ、２１Ｂの頂端から横方向に延びるフランジ２２Ａ、２２Ｂと、縦桁２１Ａ、２１Ｂの外側に配置されたブラケット２３Ａ、２３Ｂと、ブラケット２３Ａ、２３Ｂの上に配置されると共に床版３０Ａ、３０Ｂを支持するゴムシュウ２４Ａ、２４Ｂと、ブラケット２３Ａ、２３Ｂの上に設置された床版ガイド２５と、縦桁２１Ａ、２１Ｂから横方向へ張り出す補剛材２６Ａ、２６Ｂ（図３参照）を有する。
【００１７】
図３に示すように、合成桁１０は、主桁２０の縦桁２１Ａ、２１Ｂとの間に配置され、補剛材２６Ａ、２６Ｂに固定された床版の補強構造としての補強部材５０を有する。補強部材５０は、補剛材２６Ａ、２６Ｂに取り付けられる基部材５１と、基部材５１に重ねると共に基部材５１に対して移動可能な可動部材５２を有する。
【００１８】
基部材５１は、ウェブ５１ａと、ウェブ５１ａの下端に固定された下フランジ５１ｂと、補剛材２６Ａ、２６Ｂに取り付けるための孔５１ｃを有する。この孔５１ｃに、例えば、ボルト（図示省略）を通すことにより、補剛材２６Ａ、２６Ｂに基部材３１を固定する。
【００１９】
可動部材５２は、ウェブ５２ａと、ウェブ５２ａの頂端に固定されたフランジ５２ｂを有し、フランジ５２ａから下方へ延びる共に所定の間隔で配置された複数の補剛材５２ｃを有する。可動部材５２は、上下方向に延びると共に横方向に間隔を置いて配置された複数の長孔５２ｄを有する。可動部材５２の長孔５２ｄに、例えば、ボルトを通し、基部材５１のネジ孔にねじ込む。可動部材５２を基部材５１に対して移動させる場合、このボルトを緩める。一方、可動部材５２を基部材５１に固定する場合、ボルトを締める。
【００２０】
次に、補強部材５０の使用方法を説明する。
【００２１】
図４に示すように、縦桁２１Ａの補剛材２６Ａ、２６Ｂに補強材５０の基部材５１を取り付ける。長孔５２ｄに配置されたボルト（図示省略）を緩め、可動部材５２を移動可能な状態にする。基部材５１に対して可動部材５２を上昇させ、床版３０Ａ、３０Ｂの底面に可動部材５２の上フランジ５２ｂを当てる。図３に示すように、床版３０Ａ、３０Ｂに可動部材５２を接触させた状態で、長孔５２ｄのボルトを締め、基部材５１に可動部材５２を固定する。これにより、床版３０Ａ、３０Ｂと補強部材５０と間に隙間が無くなり、補強部材５０は床版３０Ａ、３０Ｂに作用する荷重を確実に支持する。
以上の実施形態によれば、基部材５１に対して可動部材５２を移動させて床版３０Ａ、３０Ｂに可動部材５２を当てるので、施工性が向上する。
【００２２】
第２の実施形態
図５に示すように、床版の補強構造としての補強部材５０Ａは、基部材５１Ａと、基部材５１Ａと重ねると共に基部材５１Ａに対して移動可能な可動部材５２Ａを有する。
【００２３】
基部材５１Ａは、ウェブ５１ｄと、ウェブ５１ｄの基端に固定された下フランジ５１ｅを有する。基部材５１Ａは、ウェブ５１の先端から基端へ向かって延びる切欠きを有すると共に所定の間隔で配置された複数のガイド５１ｆを有する。基部材５１ＡはボルトＢ１を通すための複数の長孔５１ｇを有する。
【００２４】
可動部材５１Ａは、ウェブ５２ｅと、ウェブ５２ｅの頂端に固定された上フランジ５２ｆと、ウェブ５２ｅから基部材５１Ａ側へ張り出すと共に上フランジ５２ｆから基部材５１Ａへ向けて延びる複数の補剛材５２ｇを有する。各補剛材５２ｇの先端部はガイド５１ｆの切欠きに挿入されている。
【００２５】
次に、補強部材５０Ａの使用方法を説明する。
【００２６】
最初に、補剛材５２ｇがガイド５１ｆの切欠きの先端まで挿入されている。長孔５１ｇに通したボルトＢ１を緩め、基部材５１Ａに対して可動部材５２Ａを上昇させ、可動部材５２Ａの上フランジ５２ｆを床版３０Ａ、３０Ｂに当てる。このとき、補剛材５２ｇはガイド５１ｆに沿って移動するので、補剛材５２ｇは可動部材５２Ａの移動を妨げない。
【００２７】
以上の実施形態によれば、ガイド５１ｆにより補剛材５２ｇは可動部材５２Ａの移動を妨げないので、可動部材５２Ａを確実に移動することができる。
【００２８】
第３の実施形態
図６に示すように、補強部材５０Ｂは、基部材５１Ｂと、基部材５１Ｂと重ねると共に基部材５１Ｂに対して移動可能な可動部材５２Ｂを有する。
【００２９】
基部材５１Ｂは、ウェブ５１ｈと、ウェブ５１ｈの下端に固定された下フランジ５１ｅを有する。ウェブ５１は、ボルトＢ１を通すための複数の長穴５１ｇを有する。
【００３０】
可動部材５２Ｂは、ウェブ５２ｅと、ウェブ５２ｅの頂端に固定された上フランジ５２ｆと、ウェブ５２ｅから基部材５１Ｂ側へ張り出すと共に上フランジ５２ｆから基部材５１Ｂへ向けて延びる複数の補剛材５２ｈを有する。
【００３１】
各補剛材５２ｈは、先端から上フランジ５２ｆへ向けて切り欠かれたガイド５２ｊを有する。このガイド５２ｊの切欠きに、基部材５１Ｂのウェブ５１ｈの先端が挿入される。
【００３２】
次に、補強部材５０Ｂの使用方法を説明する。
【００３３】
最初に、可動部材５２Ｂの補剛材５２ｈの切欠きの先端まで基部材５１Ｂのウェブ５１ｈが挿入されている。長孔５１ｇに通したボルトＢ１を緩め、基部材５１Ｂに対して可動部材５２Ｂを上昇させ、可動部材５２Ａの上フランジ５２ｆを床版３０Ａ、３０Ｂに当てる。このとき、ウェブ５１ｈは補剛材５２ｈのガイド５２ｊに沿って移動するので、補剛材５２ｈは可動部材５２Ｂの移動を妨げない。
【００３４】
以上の実施形態によれば、ガイド５２ｊにより補剛材５２ｈは可動部材５２Ｂの移動を妨げないので、可動部材５２Ｂを確実に移動することができる。
なお、本発明は本実施形態に限定されず、また、各実施形態は発明の趣旨を変更しない範囲で変更、修正可能である。
【符号の説明】
【００３５】
１０  合成桁
２０  主桁
３０Ａ、３０Ｂ  コンクリート床版
５０、５０Ａ、５０Ｂ  補強部材
５１、５１Ａ、５１Ｂ  基部材
５２、５２Ａ、５２Ｂ  可動部材
５１ｆ  ガイド
５２ｃ  補剛材
５２ｇ  補剛材
５２ｈ  補剛材
５２ｊ  ガイド
【図１】
0005827588.tif 000002
【図２】
0005827588.tif 000003
【図３】
0005827588.tif 000004
【図４】
0005827588.tif 000005
【図５】
0005827588.tif 000006
【図６】
0005827588.tif 000007